(57)【要約】【課題】  本考案は、溝きりドラムによる染色ボビン巻き装置において、巻き取り易さ、１０インチの長さのプラスチックボビンの再利用を可能にし、環境に優しく、実用性にも優れた、染色ボビン巻きを提供するものである。【解決手段】  染色ボビン１をウレタンゴムホルダー２によって両サイドをグリップし、溝きりドラム３に取り付けられた、カラー４と接触、溝きりドラムが回転する事により、染色ボビン１に糸７が、バネ付き皿クランプ６を通り、安定したテンションで、ボビン１に糸７が巻き取る事が出来る。【選択図】  図６
0003102948.tif 000002
【実用新案登録請求の範囲】
【請求項１】
染色ボビンの外径よりも５ミリから１５ミリ大きい外径で、厚みが５ミリから２０ミリのウレタンゴムを使い、これを摩擦によって回転させる、また回転させるドラム側にもドラムの側面に幅２０ミリほどの同径の樹脂や金属などで出来たカラーを付けこれを受ける、また、染色ボビンに糸を巻く際、糸のテンションを、安定させる為に、糸が巻き取られる際、セラミックや金属で出来た皿をバネで押さえ調整する、１０インチの長さまで可能な染色ボビン巻き装置。
【考案の詳細な説明】
【考案の詳細な説明】
【技術分野】
【０００１】  本考案は、染色ボビンに糸を巻く際、円滑また再利用に関する。
【背景技術】
【０００２】  染色ボビンの長さが、５インチから６インチは、巻きやすく大量使用される、またコストダウンの為に使い捨てプラスチックボビンが使われている。又１０インチの染色ボビンなどは、変形が激しい為、一回で捨てられていた、これらの事を、踏まえ、この様な分野は極、特殊な分野で今までにも、コスト的に合わず、注目されなかったよって、記載すべき先行技術文献情報もない為、記載する事が出来ない。
【考案が解決しようとする課題】
【０００３】  しかしながら、染色ボビンの長さを長くすると、変形しやすく巻き難い欠点があった。
【課題を解決するための手段】
【０００４】  本考案は、染色ボビンの外径よりも５ミリから１６ミリ大きい外径で、厚みが５ミリから２０ミリのウレタンゴムを使い、これを摩擦によって回転させる、また回転させるドラム側にもドラムの側面に幅２０ミリほどの同径の樹脂や金属などで出来たカラーを付けこれを受ける、また、染色ボビンに糸を巻く際、糸のテンションを、安定させる為に、糸が巻き取られる際、セラミックや金属で出来た皿をバネで押さえ調整するという構成を具備することで、加工の容易化と１０インチの長さの染色ボビンの使用を容易にし、再利用を実現し、これにより上記課題を解決するものである。
【考案を実施するための最良の形態】
【０００５】  図１に示すように、円筒形の染色ボビン１とウレタンゴムで出来たホルダー２をボビン１の側面に差し込む。次に、図２に示すように、円筒形の染色ボビンはウレタンゴムと一体化し、固定される。【０００６】  図３に示すように、溝きりドラム３に樹脂や金属で出来たカラー４を組み合わせる。次に、図４に示すように、溝きりドラムとカラーは一体化し、固定される。【０００７】  図５に示すように、溝きりドラムが回転する際、染色ボビンとの中央部接触面にすき間が出来る、このすき間によって使用者は巻き取り作業を円滑に出来、巻き取り糸も良質化される。【０００８】  図６に示すように、糸７は皿をバネで押さる６の工程を通る事により安定したテンションを、ポイント５で得ることが出来る。
【考案の効果】
【０００９】  本考案に係る溝きりドラムによる染色ボビン巻き装置は、染色ボビンと巻き取りドラムの間にすき間を作る事、皿をバネで押さえる工程により、長さ１０インチの染色ボビンの使用、また変形しやすくまき難いという欠点が円滑になる、この効果により再利用も可能になり、プラスチックのごみを減らし環境にも優しく、実用性にも優れた、装置である。
【図面の簡単な説明】
【図１】本考案に係る溝きりドラムによる染色ボビン巻き装置を示す、要部斜視図である
【図２】本考案に係る溝きりドラムによる染色ボビン巻き装置であって、染色ボビンと、ウレタンゴムホルダーとを係合させた状態を示す正面図である。
【図３】本考案に係る溝きりドラムによる染色ボビン巻き装置を示す、要部斜視図である
【図４】本考案に係る溝きりドラムによる染色ボビン巻き装置であって、溝きりドラ厶と同径のカラーとを係合させた状態を示す正面図である。
【図５】「図２」と「図４」を係合させた状態の正面図である。
【図６】本考案に係る溝きりドラムによる染色ボビン巻き装置の巻き取り工程図である。
【符号の説明】
１    染色ボビン  ２    ウレタンゴムホルダー  ３    溝きりドラム  ４    カラー  ５    テンションポイント  ６    バネ付き皿クランプ  ７    糸
【図１】
0003102948.tif 000003
【図２】
0003102948.tif 000004
【図３】
0003102948.tif 000005
【図４】
0003102948.tif 000006
【図５】
0003102948.tif 000007
【図６】
0003102948.tif 000008
【手続補正書】
【提出日】平成15年11月25日(2003.11.25)
【手続補正１】
【補正対象書類名】実用新案登録請求の範囲
【補正対象項目名】全文
【補正方法】変更
【補正の内容】
【実用新案登録請求の範囲】
【請求項１】
形状が円筒形のパイプで、染料液が通る為の、外周に小さな丸や四角など、いろいろな形の穴の開いた染色用のボビンと呼ばれる物に、形状が円筒形のドラムと呼ばれる物で、糸を左右に振らせる為に溝が切られその溝により糸をガイドし、染色ボビンに糸を巻く事が出来る、この時染色ボビンの外径よりも５ミリから１５ミリ大きい外径で、厚みが５ミリから２０ミリのウレタンゴムで出来た、ホルダーと呼ばれる物を、染色ボビンの両サイドにはめ込み固定する、この固定されたウレタンゴムを回転させる為に、ドラムの側面に幅２０ミリほどのドラムと同じ外径の樹脂や金属で出来た、カラーと呼ばれる物と接触する事により、ドラムを回転させると、その摩擦により染色ボビンを回転させる事が出来る、その際、溝きりドラムとの間にすき間が出来、多少変形している染色ボビンでも、直接ドラムに接触しない為、振動が抑えられる。
また、染色ボビンに糸を巻く際、糸のテンションを、安定させる為に、糸が巻き取られる際、セラミックや金属で出来た皿を二枚合わせ、バネで押さえ強さを調整し、その二枚の皿の間に糸を走らせる。
これらの、ウレタンゴムホルダー、ドラム、カラーの構成、相互関係により、１０インチの長さの染色ボビンに糸が巻き取る事が可能な、染色ボビン巻き装置。
【手続補正書】
【提出日】平成16年2月23日(2004.2.23)
【手続補正１】
【補正対象書類名】実用新案登録請求の範囲
【補正対象項目名】全文
【補正方法】変更
【補正の内容】
【実用新案登録請求の範囲】
【請求項１】
形状が円筒形のパイプ状で、染料液が通る為の、外周に小さな丸や四角など、いろいろな形の穴の開いた、通常プラスチックで出来た染色ボビンに、形状が円筒形の、通常金属で出来たドラムと呼ばれる物で、糸を巻く為に、溝が切られた物がある、この時、染色ボビンの外径よりも、５ミリから１５ミリ大きい外径で、幅が５ミリから２０ミリの、ウレタンゴムで出来た、ホルダーを、染色ボビンの両サイドに、はめ込み固定する、この固定された、ホルダーを、ドラムの両サイドに、幅２０ミリほどの、ドラムと、同外径の、樹脂や金属で出来た、カラーを固定し、カラーとホダーを接触させる、これにより、ドラムが回転すると、染色ボビンも回転し、染色ボビンに糸が巻かれる、その際、ボビンよりも、ホルダーの外径が大きい事により、ドラムとボビンの間に、すき間が出来、多少変形している、ボビンでも、直接ドラムに接触しない為、ボビンの振動が抑えられスリップも少なく、ボビンに、糸を巻く事が出来る、これらの、ウレタンゴムホルダー、溝きりドラム、カラーの構成、相互関係を特徴とする、溝きりドラムによる染色ボビン巻き装置。